(57)【要約】【課題】火災等の際に高温に晒されても障子による閉塞状態を保持することができる建具を提供する。【解決手段】枠体２０と枠体２０内に配置された障子３０とを有し、障子３０が回動支持部により枠体２０に対して軸線周りに回動可能に支持され、枠体２０の下枠２２と障子３０の下框３２との間に間隙２５ａを有する建具１０であり、火災時に、枠体２０に対して障子３０が下方に移動した際に、下枠２２及び下框３２に当接し、下框３２を下枠２２で支持する補強部材４０が間隙２５ａに設けられている。【選択図】図２
2018071239.tif 000002
【特許請求の範囲】
【請求項１】
枠体と該枠体内に配置された障子とを有し、前記障子が回動支持部により前記枠体に対して軸線周りに回動可能に支持され、前記枠体の下枠と前記障子の下框との間に間隙を有する建具において、
火災時に、前記枠体に対して前記障子が下方に移動した際に、前記下枠及び前記下框に当接し、前記下框を前記下枠で支持する補強部材が前記間隙に設けられていることを特徴とする建具。
【請求項２】
前記障子は、四方枠状に構成された框体と、該框体の内側に配置されたパネルと、を備え、
前記下框の見付方向の略中央部に、前記パネルを支持可能なセッティングブロックが配され、
該セッティングブロックの下方に前記補強部材が設けられている請求項１に記載の建具。
【請求項３】
前記障子の縦框のパネル嵌合溝に固定された固定部と、前記固定部と一体に設けられて前記下框のパネル嵌合溝内で前記パネルを支持する支持部と、を有するパネル支持部材が設けられている請求項１または２に記載の建具。
【請求項４】
前記補強部材は、前記下枠及び前記下框の一方側から他方側に延びる突出部を備え、
前記パネルが複層ガラスで構成され、該複層ガラスの少なくとも一方が耐熱ガラスであり、
前記突出部は、前記パネル嵌合溝の見込方向中央より前記耐熱ガラス側に設けられている請求項３に記載の建具。
【請求項５】
前記間隙における前記下枠及び前記下框の少なくともいずれか一方に、前記下枠及び前記下框の反りを防止する反り防止部材が設けられており、
前記補強部材は、前記反り防止部材よりも先に前記下枠及び前記下框に当接するように構成されている請求項１から４のいずれか一項に記載の建具。
【請求項６】
前記補強部材は、前記下框に取り付けられる取付部と、該取付部から前記下枠に向かって突出する突出部と、を備え、
前記下框に前記補強部材を取り付けた状態において、前記下枠における前記突出部に対向する対向面よりも室外側は、該対向面と同じ高さまたは下方に延びる面で構成されている請求項１から５のいずれか一項に記載の建具。
【請求項７】
前記障子が上端側の前記回動支持部により前記枠体に横軸線周りに回動可能に支持された突き出し窓であり、
前記障子が防火性能を有するもので構成されている請求項１から６のいずれか一項に記載の建具。
【発明の詳細な説明】
【技術分野】
【０００１】
本発明は建具に関する。
【背景技術】
【０００２】
従来から、障子の上端側が枠体に支持されて回動する突き出し窓（建具）が知られている。また、一般的なサッシの中には、火災等が発生して高温となった場合でも、防火性能を確保できる防火サッシが提案されており、突き出し窓についても防火性能を確保したものが知られている。
特許文献１には、火災時に排煙等のために開放される突き出し窓において、高温状態となった場合でも開放状態を保持できるように構成したものが提案されている。
【先行技術文献】
【特許文献】
【０００３】
【特許文献１】実用新案登録第３１７９２０７号公報
【発明の概要】
【発明が解決しようとする課題】
【０００４】
一方、特許文献１の排煙用の突き出し窓とは異なり、障子が上端側で枠体に支持されて回動する建具には、火災時に閉塞状態を保持して防火設備として使用される建具（突き出し窓）がある。
【０００５】
このような建具では、通常、枠体の下枠と障子の下框との間に間隙が存在している。そのため火災時の高温状態で、障子を構成している框体やパネルなどに変形が生じると、障子の位置が下方にずれて閉塞状態を維持できなくなる虞があった。
【０００６】
そこで本発明は上記事情に鑑みてなされてものであり、火災等の際に高温に晒されても閉塞状態を保持することができる建具を提供することを目的とする。
【課題を解決するための手段】
【０００７】
上記課題を解決する本発明の建具は、枠体と該枠体内に配置された障子とを有し、前記障子が回動支持部により前記枠体に対して軸線周りに回動可能に支持され、前記枠体の下枠と前記障子の下框との間に間隙を有する建具において、火災時に、前記枠体に対して前記障子が下方に移動した際に、前記下枠及び前記下框に当接し、前記下框を前記下枠で支持する補強部材が前記間隙に設けられていることを特徴としている。
【０００８】
本発明の建具によれば、枠体の下枠と障子の下框との間の間隙に補強部材を設けている。そのため建具が高温に晒された際、框体やパネルに変形が生じて、枠体内で障子が下方に変位しようとすると、補強部材が下枠及び下框に当接する。つまり、障子の荷重を補強部材を介して下枠で支持することが可能となる。
【０００９】
これにより下枠から離間して配置された障子が、閉塞状態で火災等の際に建具が高温に晒されても、障子が大きく下方へ変位したり、脱落したりすることを防止することができる。したがって、火災等の際に障子の閉塞状態を保持することができ、防火性能を確保することができる。
【００１０】
また、本発明の建具では、前記障子は、四方枠状に構成された框体と、該框体の内側に配置されたパネルと、を備え、前記下框の見付方向の略中央部に、前記パネルを支持可能なセッティングブロックが配され、該セッティングブロックの下方に前記補強部材が設けられていてもよい。
【００１１】
このような建具によれば、火災等の際にパネルをセッティングブロックで支持することができ、さらに、下框を介して下方に設けられた補強部材により障子の荷重を下枠で支持することができる。
【００１２】
また、本発明の建具では、前記障子の縦框のパネル嵌合溝に固定された固定部と、前記固定部と一体に設けられて前記下框のパネル嵌合溝内で前記パネルを支持する支持部と、を有するパネル支持部材が設けられていてもよい。
【００１３】
このような建具によれば、障子の縦框に固定されたパネル支持部材の支持部によりパネルを支持するため、パネルの荷重を框体の縦框で支持することができる。そのため、下框に負荷される荷重を軽減することができる。その結果、火事等の際に四方枠状に構成された框体が高温に晒されて下框が他の部分から下方へ変位し易くなっても、下框にはパネルの荷重がかからないため、下框が脱落したり下方へ大きく変位して障子が破損したりするのを防止できる。したがって、火災等の際にも障子をより安定して閉塞状態に保つことができ、防火性能を確保することができる。
【００１４】
また、パネル支持部材は、固定部が縦框のパネル嵌合溝に固定され、支持部が下框のパネル嵌合溝内でパネルを支持するため、框体に対してパネルを装着するためのセッティングブロックとして機能させることもできる。
【００１５】
また、本発明の建具では、前記補強部材は、前記下枠及び前記下框の一方側から他方側に延びる突出部を備え、前記パネルが複層ガラスで構成され、該複層ガラスの少なくとも一方が耐熱ガラスであり、前記突出部は、前記パネル嵌合溝の見込方向中央より前記耐熱ガラス側に設けられていてもよい。
【００１６】
このような建具によれば、火災等の際に高温まで耐え得る耐熱ガラスの下方に補強部材の突出部が設けられているため、より確実に障子の荷重を補強部材を介して下枠で支持することが可能となる。
【００１７】
また、本発明の建具では、前記間隙における前記下枠及び前記下框の少なくともいずれか一方に、前記下枠及び前記下框の反りを防止する反り防止部材が設けられており、前記補強部材は、前記反り防止部材よりも先に前記下枠及び前記下框に当接するように構成されていてもよい。
【００１８】
このような建具によれば、反り防止部材を設けることで火災等の際に枠体や框体の反りが生じるのをより確実に抑制することができ、かつ、補強部材により障子の荷重を下枠で支持することが可能となる。
【００１９】
また、本発明の建具では、前記補強部材は、前記下框に取り付けられる取付部と、該取付部から前記下枠に向かって突出する突出部と、を備え、前記下框に前記補強部材を取り付けた状態において、前記下枠における前記突出部に対向する対向面よりも室外側は、該対向面と同じ高さまたは下方に延びる面で構成されていてもよい。
【００２０】
このような建具によれば、補強部材の突出部の下枠に向かう長さを確保しやすくなり、火災等の際に早期に補強部材を介して障子の荷重を下枠で支持することが可能となる。
【００２１】
また、本発明の建具では、前記障子が上端側の前記回動支持部により前記枠体に横軸線周りに回動可能に支持された突き出し窓であり、前記障子が防火性能を有するもので構成されていてもよい。
【００２２】
このような建具によれば、枠体に対して障子の上端側のみで支持される突き出し窓において防火性能を必要とする場合であっても、補強部材を下枠と下框との間に設けることにより、枠体に対して障子がずれるのを抑制することができる。
【発明の効果】
【００２３】
本発明の建具によれば、枠体の下枠と障子の下框との間の間隙に補強部材が設けられているため、枠体内で障子が下方へ変位しようとする際に補強部材が下枠及び下框に当接される。そのため、障子の荷重を補強部材を介して下枠で支持することができ、火災等の際に高温に晒されても閉塞状態の障子が大きく下方へ変位することがなく、閉塞状態を保持することができる。
【図面の簡単な説明】
【００２４】
【図１】本発明の実施形態による突き出し窓の斜視図である。
【図２】図１に示す突き出し窓のＡ−Ａ断面図である。
【図３】図１に示す突き出し窓のＢ−Ｂ断面図である。
【図４】図１に示す突き出し窓の下框に補強部材が設けられた状態を示す拡大断面図である。
【図５】下框に設けられた補強部材の部分斜視図である。
【図６】（ａ）は図１に示す突き出し窓の下框のパネル嵌合溝にパネル支持部材が配置された状態を示す拡大横断面図であり、（ｂ）は図１に示す突き出し窓の縦框のパネル嵌合溝にパネル支持部材が配置された状態を示す拡大縦断面図である。
【図７】図６に示すパネル支持部材の側面図である。
【図８】（ａ）は図１に示す突き出し窓の縦框にダンパーが連結された状態を示す拡大横断面図であり、（ｂ）は図１に示す突き出し窓の縦框にダンパーが連結された状態を示す拡大縦断面図である。
【図９】図８に示す突き出し窓の框体に装着されたカバー部材の側面図である。
【発明を実施するための形態】
【００２５】
本発明の実施形態について図面を用いて説明する。なお、本実施形態の建具は、図１に示すような突き出し窓１０である。
図１の突き出し窓１０は、枠体２０と、枠体２０内に配置された障子３０とを有している。障子３０は、上端側に設けられた図示しない回動支持部を介して枠体２０に支持され、枠体２０に対して横軸線（見付方向に沿う軸線）周りに回動可能となっている。
図１では障子３０が閉塞状態に配置されている。障子３０は、下框３２に設けられたハンドル３８で施解錠を行い、ハンドル３８を外方向Ｄ１に突き出すことで開放することができる。
【００２６】
図１乃至図３に示すように、枠体２０は上枠２１及び下枠２２と、左右の縦枠２３，２３とを四方枠状に連結して形成されている。各枠２１，２２，２３は、室外側がアルミ合金等の金属の押出材等からなり、室内側が樹脂材料で構成されたアルミ樹脂複合サッシとなっている。なお、サッシの構成は、アルミサッシであってもよい。
枠体２０は、建築物の躯体の開口部に装着されている。枠体２０の内側に障子３０を配置する開口部２４が形成されている。開口部２４は、障子３０が配置される外側開口部２４ａと、外側開口部２４ａより室内側に設けられた内側開口部２４ｂとを有する。
【００２７】
外側開口部２４ａは、障子３０より大きく形成されている。後述するように、枠体２０の下枠２２と障子３０の下框３２との間に、間隙２５ａが設けられている。また、枠体２０の左右両側の縦枠２３，２３と障子３０の各縦框３３，３３との間に、それぞれ間隙２５ｂが設けられている。
【００２８】
内側開口部２４ｂは、外側開口部２４ａより小さく形成され、かつ、障子３０より若干小さく形成されている。
外側開口部２４ａと内側開口部２４ｂとの境界には、障子３０の框体３１の周縁と対向する段差状の対向部２４ｃが形成されている。対向部２４ｃには、障子３０の閉塞状態において框体３１の周縁と密着するシール材２６が環状に連続して配置されている。
【００２９】
障子３０は、四方枠状に構成された框体３１と、框体３１の内側に配置されたガラスパネル（パネル）３５と、を備えている。
本実施形態のガラスパネル３５は、複層ガラスで構成されており、防火性能を確保するために室外側のガラスには網入りガラス（耐熱ガラス）が採用されている。なお、ここで言う耐熱ガラスは、２０分間火を貫通させなければいいガラスのことである。つまり、ガラス自体が割れても問題無く、火を貫通さえさせなければよい。
【００３０】
框体３１は、上框３４及び下框３２と、左右の縦框３３，３３とを有して形成されている。各框３２，３３，３４は、室外側がアルミ合金等の金属の押出材等からなり、室内側が樹脂材料で構成されたアルミ樹脂複合サッシとなっている。なお、サッシの構成は、アルミサッシであってもよい。各框３２，３３，３４は、ガラスパネル３５の周囲を囲んで配置され、互いに連結されている。
【００３１】
各框３２，３３，３４には、ガラスパネル３５の周縁を収容して支持する凹状のパネル嵌合溝３６が形成されている。各框３２，３３，３４のパネル嵌合溝３６は、略同じ幅に形成されており、框体３１の内側で環状に連続している。
【００３２】
パネル嵌合溝３６の外側側面３６ａと、ガラスパネル３５の室外側表面周縁部３５ａとの間には、互いに密着するシール材（ビートなど）３７が環状に連続して配置されている。同様に、パネル嵌合溝３６の内側側面３６ｂと、ガラスパネル３５の室内側表面周縁部３５ｂとの間には、互いに密着するシール材（ビートなど）３７が環状に連続して配置されている。
【００３３】
このような突き出し窓１０において、本実施形態では枠体２０の下枠２２と障子３０の下框３２との間の間隙２５ａに、補強部材４０が設けられている。
図２、図４及び図５に示すように、補強部材４０は、障子３０の下框３２の下面に固定され、下枠２２に向かって下向きに突出するように配置されている。補強部材４０は、障子３０の見付方向Ｄ２の略中央のガラスパネル３５の下方に設けられている。
【００３４】
本実施形態の補強部材４０は、略全長にわたり略Ｌ字状の断面形状を有した見付方向の長さが短いピース部材で構成され、ステンレスなどの金属により形成されている。補強部材４０の一方の片が下框３２に取り付けられる取付部４１として構成され、他方の片が下枠２２に向かって突出する突出部４２として構成されている。ここで、本実施形態の補強部材４０の突出部４２は、パネル嵌合溝３６の見込方向中央より耐熱ガラス側（室外側）に位置するように配設されている。
【００３５】
框体３１の下框３２は、障子３０の見付方向Ｄ２に連続した下向きの平坦面３２ａを有している。また、枠体２０の下枠２２は、下框３２の平坦面３２ａと対向する位置に見付方向Ｄ２に連続した平坦な対向面２２ａを有している。そのため補強部材４０は、取付部４１を平坦面３２ａに当接させ、突出部４２を対向面２２ａに向かうように取り付けられている。障子３０に補強部材４０を取り付けた状態において、突出部４２より室外側には下枠２０から上方に向かって突出するものが無い。換言すれば、下框３２に補強部材４０を取り付けた状態において、下枠２２における突出部４２に対向する対向面２２ａよりも室外側は、該対向面２２ａと同じ高さまたは下方に延びる面で構成されている。
【００３６】
さらに、下框３２の平坦面３２ａには框側反り防止部材７１が設けられている。框側反り防止部材７１は、補強部材４０よりも室内側に配置されている。また、下枠２２の対向面２２ａには見付方向Ｄ２の略中央に中央反り防止部材７２が設けられ、見付方向Ｄ２の略両端に端部反り防止部材７３が設けられている。中央反り防止部材７２および端部反り防止部材７３は、補強部材４０よりも室内側に配置されている。框側反り防止部材７１、中央反り防止部材７２、および端部反り防止部材７３は、火災等の際に框体３１および枠体２０が熱により反りが生じるのを防止するために設けられるものである。框側反り防止部材７１および中央反り防止部材７２は、略Ｌ字状の断面形状を有したピース部材で構成され、ステンレスなどの金属により形成されている。端部反り防止部材７３は、火災時に端部の方が反りが大きくなる傾向があるため、端部の反りを防止するために下框方向に突出する片が鉛直方向よりも室外側に向かうように、略Ｖ字状の断面形状を有したピース部材で構成されている。端部反り防止部材７３もステンレスなどの金属により形成されている。
【００３７】
このような補強部材４０を設けると、火災時に框体３１が高温で変形し、枠体２０の内側に閉塞状態で配置された障子３０が枠体２０に対して下方に変位しようとするが、若干下方に変位したときに、下框３２に固定された補強部材４０の突出部４２が対向面２２ａと当接する。なお、このとき、框側反り防止部材７１、中央反り防止部材７２、および端部反り防止部材７３が対向する下枠２２や下框３２に当接するよりも先に補強部材４０の突出部４２が対向面２２ａと当接する。これにより補強部材４０が枠体２０の下枠２２と框体３１の下框３２とに当接して障子３０の下方への変位が規制され、障子３０が枠体２０の下枠２２で支持されることになる。結果として、障子３０が下方に移動するのを防止することができる。
また、補強部材４０がガラスパネル３５の下方に設けられているため、該ガラスパネル３５の荷重を支えることができ、ガラスパネル３５の落下防止にも寄与している。さらに、補強部材４０は下框３２の転び防止にも寄与する。そして、補強部材４０が下枠２２に当接した後、障子３０の荷重により補強部材４０と下枠２２との間に摩擦力が生じ、下框３２が見込方向に移動するのを抑制することができる。
【００３８】
次に、この実施形態の突き出し窓１０では、図３、図６及び図７に示すように、障子３０の框体３１に形成されたパネル嵌合溝３６にパネル支持部材５０が設けられている。
パネル支持部材５０は、略Ｌ字状に形成された部材であり、障子３０の縦框３３のパネル嵌合溝３６に固定される固定部５１と、固定部５１と一体に設けられて下框３２のパネル嵌合溝３６内でガラスパネル３５を支持する支持部５２と、を有している。パネル支持部材５０は、例えばステンレスなどの金属で形成されていればよい。
【００３９】
固定部５１は、框体３１の縦框３３にネジ等により強固に固定されている。また、支持部５２は、固定部５１の下端から該固定部５１に対して略垂直方向に延設されており、下框３２のパネル嵌合溝３６内に張出すように配置されている。つまり、支持部５２は、固定部５１を介して縦框３３に支持されている。また、支持部５２におけるガラスパネル３５と当接する上面には、ゴム材料などにより板状に成形された緩衝材５３が載置されている。
【００４０】
このようなパネル支持部材５０を設けると、框体３１のパネル嵌合溝３６にガラスパネル３５が収容されて配置される際、ガラスパネル３５の下端が支持部５２に載置された状態で、框体３１に装着される。なお、ガラスパネル３５の装着後には、パネル支持部材５０はパネル嵌合溝３６内に全て収容されているため外部からは視認されない。
【００４１】
また、パネル支持部材５０を設けることにより、火災時に框体３１が高温で変形し、ガラスパネル３５が框体３１に対して下方に変位しようとしても、ガラスパネル３５はパネル支持部材５０を介して縦框３３に支持された状態で保持される。したがって、ガラスパネル３５の自重が下框３２に直接かかることがないため、下框３２の変形を抑制することができる。換言すれば、パネル支持部材５０により、火災時にはガラスパネル３５の自重を縦框３３に分散されるため、下框３２の変形を抑制することができる。
【００４２】
なお、下框３２のパネル嵌合溝３６内には金属製のセッティングブロック７５が設けられている。セッティングブロック７５は、通常時はガラスパネル３５と当接しておらず、その表面の高さは、パネル支持部材５０の支持部５２の表面と略面一になる高さで構成されている。つまり、通常時において、ガラスパネル３５の下端面とセッティングブロック７５の上端面との間には隙間が形成されており、該隙間の高さは緩衝材５３の厚さと略同一に構成されている。また、セッティングブロック７５はガラスパネル３５の見付方向Ｄ２の略中央の下方に配置されている。火災時にはパネル支持部材５０の緩衝材５３が溶けることで、ガラスパネル３５がその厚さ分落下する。セッティングブロック７５を設けることにより、火災時にガラスパネル３５をパネル支持部材５０を介して縦框３３で支持するだけでなく、セッティングブロック７５を介して下框３２でも支持することができる。つまり、ガラスパネル３５の自重を縦框３３および下框３２で分散支持することができ、框体３１の変形を分散することができる。また、本実施形態では、セッティングブロック７５の鉛直下方に補強部材４０が配置されている。
【００４３】
次に、この実施形態の突き出し窓１０では、図１、図８及び図９に示すように、枠体２０の縦枠２３と障子３０の縦框３３との間の間隙２５ｂに、ダンパー６０が配置されている。なお、図８にはダンパー６０の下端側が障子３０の框体３１に連結された状態を図示しているが、ダンパー６０の上端側は同様の構成で枠体２０に連結されている。
【００４４】
ダンパー６０は、枠体２０の縦枠２３と障子３０の縦框３３との間の連結部分に、障子３０の開閉動作のエネルギーを減衰する目的で装着されている。
本実施形態のダンパー６０は、作動油等の流体が封入された本体部６１と、本体部６１から突出して両端に設けられた連結端部６２と、を有している。ダンパー６０の両端に設けられた連結端部６２が、それぞれ枠体２０の縦枠２３と障子３０の縦框３３とに直接連結されている。
【００４５】
ダンパー６０の各連結端部６２近傍には、枠体２０又は障子３０に固定されたカバー部材６５が配設されている。
カバー部材６５は、例えばステンレスの板材を屈曲させて形成されている。カバー部材６５は、縦框３３に締結される固定部６７と、固定部６７から屈曲して立ち上がるように形成された立上部６８と、立上部６８に連設されダンパー６０の連結端部６２を挟んで互いに対向するように両側に配置される被覆部６９と、を有している。
【００４６】
被覆部６９の連結端部６２と対向する面には、加熱発泡材６６が配置されている。連結端部６２の両側に加熱発泡材６６を配置することで、火災時においてダンパー６０が高温状態に晒されたときに、加熱発泡材６６が発泡することで連結端部６２を閉塞することができる。その結果、連結端部６２から流出したダンパー６０の油（高温流体）が、間隙２５ｂを通して外部に放出されることを防止することができ、ダンパー６０付近で爆発するのを防止することができる。
【００４７】
以上のような突き出し窓１０によれば、枠体２０の下枠２２と障子３０の下框３２との間の間隙２５ａに補強部材４０が設けられている。そのため、突き出し窓１０が高温に晒された際、框体３１やガラスパネル３５などに変形が生じて、枠体２０内で障子３０が下方に変位しようとするが、若干下方に変位した段階で、下框３２に固定された補強部材４０の突出部４２が対向面２２ａと当接する。これにより補強部材４０が枠体２０の下枠２２と框体３１の下框３２とに当接して障子３０の下方への変位が規制され、障子３０が枠体２０の下枠２２で支持されることになる。したがって、火災等の際に障子３０の閉塞状態を保持することができ、突き出し窓１０の防火性能を長時間に亘って確保することができる。
【００４８】
また、本実施形態の突き出し窓１０では、パネル支持部材５０の固定部５１が障子３０の縦框３３に固定され、支持部５２でガラスパネル３５を支持しているため、ガラスパネル３５の自重を縦框３３により支持することができる。そのため下框３２にかかる負荷を軽減することができる。
これにより、火災時に四方枠状に構成された框体３１が高温に晒されることで、下框３２が框体３１の他の部位から下方へ変位し易くなっても、下框３２にガラスパネル３５の自重が直接かからないため、下框３２の変形を抑制することができる。その結果、火災等の際に障子３０の閉塞状態を保持することができ、突き出し窓１０の防火性能を長時間に亘って確保することができる。
【００４９】
また、固定部５１が縦框３３のパネル嵌合溝３６に固定され、支持部５２が下框３２のパネル嵌合溝３６内でガラスパネル３５を支持するため、パネル支持部材５０は框体３１に対してガラスパネル３５を装着するためのセッティングブロックとしても機能する。
【００５０】
以上のような実施形態は、本発明の範囲内において適宜変更可能である。
例えば、上記では枠体２０の各枠２１，２２，２３や框体３１の各框３２，３３，３４の形状を例示したが、何ら限定されるものではなく、各種の形状を有する枠材や框体に本発明を適用することが可能である。
また、上記実施形態では、建具として突き出し窓１０の例を用いて説明したが、枠体２０内に配置された障子３０が、回動支持部により軸線周りに回動可能に支持されていて障子３０の下に間隙が形成されている建具、例えば、縦辷り窓や框ドアなどであれば、本発明を適用することができる。
また、補強部材４０の取付箇所や形状については上記実施形態の構成に限られず、火災等の際に障子の荷重を補強部材を介して下枠で支持することができるようになっていればよい。例えば、補強部材４０は下框３２の平坦面３２ａの見付方向略全長に亘って設けられていてもよい。
また、上記実施形態では、下框３２にセッティングブロック７５を設けたが、セッティングブロック７５は無くてもよい。
また、上記実施形態では、補強部材４０およびセッティングブロック７５が下框３２の見付方向略中央に設けられた場合の説明をしたが、設置場所は見付方向略中央でなくてもよい。例えば、框ドアなどは吊元側をヒンジで支持固定しているため、補強部材４０およびセッティングブロック７５は若干戸先側に設けてもよい。
また、上記実施形態では、補強部材４０を障子３０の下框３２に固定した例について説明したが、補強部材４０を枠体２０の下枠２２に固定して設けることも可能である。
さらに、上記実施形態では、パネル支持部材５０が突き出し窓１０の障子３０に取り付けられた場合で説明したが、このパネル支持部材５０は他の種類の建具の障子に取り付けることもできる。
【符号の説明】
【００５１】
Ｄ１…外方向  Ｄ２…見付方向  １０…突き出し窓  ２０…枠体  ２１…上枠  ２２…下枠  ２２ａ…対向面  ２３…縦枠  ２５ａ…間隙  ３０…障子  ３１…框体  ３２…下框  ３２ａ…平坦面  ３３…縦框  ３４…上框  ３５…ガラスパネル（パネル）  ３６…パネル嵌合溝  ４０…補強部材  ４１…取付部  ４２…突出部  ５０…パネル支持部材  ５１…固定部  ５２…支持部  ６０…ダンパー  ６２…連結端部  ６５…カバー部材  ６６…加熱発泡材  ６７…固定部  ６９…被覆部  ７１…框側反り防止部材（反り防止部材）  ７２…中央反り防止部材（反り防止部材）  ７３…端部反り防止部材（反り防止部材）  ７５…セッティングブロック
【図１】
2018071239.tif 000003
【図２】
2018071239.tif 000004
【図３】
2018071239.tif 000005
【図４】
2018071239.tif 000006
【図５】
2018071239.tif 000007
【図６】
2018071239.tif 000008
【図７】
2018071239.tif 000009
【図８】
2018071239.tif 000010
【図９】
2018071239.tif 000011